(57)【要約】【課題】ピンに適量の接着剤を容易に塗布することができ、生産効率を向上させることができる光学装置の製造装置の提供。【解決手段】製造装置は、光学装置を構成する複数の光変調装置および色合成光学装置を、紫外線硬化型接着剤Ｅを介して一体化する複数のピン１４６の塗布領域に、紫外線硬化型接着剤Ｅを塗布するための接着剤塗布治具２１０を備える。接着剤塗布治具２１０は、環状溝部２１１を備える。環状溝部２１１は、内部に紫外線硬化型接着剤Ｅを充填可能とし、各ピン１４６の塗布領域における所定の長さと等しい深さＤで形成され、かつ、円環状に形成されている。そして、環状溝部２１１に紫外線硬化型接着剤Ｅが充填された状態で、接着剤塗布治具２１０の使用者により環状溝部２１１に各ピン１４６が挿入されることにより、各ピン１４６の塗布領域に紫外線硬化型接着剤Ｅが塗布される。【選択図】図３
2008242122.tif 000002
【特許請求の範囲】
【請求項１】
複数の色光を色光毎に画像情報に応じて変調する複数の光変調装置と、各光変調装置に
て変調された各色光を合成して画像光を形成する色合成光学装置とを備える光学装置を製
造する光学装置の製造装置であって、
前記光学装置は、
前記光変調装置に貫通して形成される孔に挿入され、一端側から他端側に向けて所定の
長さを有する塗布領域に塗布された接着剤を介して前記複数の光変調装置および前記色合
成光学装置を一体化する複数のピンを備え、
前記製造装置は、
前記塗布領域に前記接着剤を塗布するための接着剤塗布治具を備え、
前記接着剤塗布治具は、
内部に前記接着剤を充填可能とし、前記塗布領域における前記所定の長さと等しい深さ
で形成され、かつ、当該深さ方向に直交する平面内で環状に形成される環状溝部を有する
ことを特徴とする光学装置の製造装置。
【請求項２】
請求項１に記載の光学装置の製造装置において、
前記接着剤塗布治具は、
前記環状溝部の外縁部分に形成され、前記深さ方向とは反対方向に向かうに従って、当
該環状溝部の外側方向に傾斜する傾斜部を備えることを特徴とする光学装置の製造装置。
【請求項３】
請求項１または請求項２に記載の光学装置の製造装置において、
前記環状溝部は、円環状に形成されていることを特徴とする光学装置の製造装置。
【請求項４】
請求項３に記載の光学装置の製造装置において、
前記接着剤塗布治具は、
前記環状溝部の略中心位置に前記深さ方向に貫通して形成され、前記接着剤が当該環状
溝部と離間した側から導入される充填孔と、
前記環状溝部の内側部分を分割するように形成されるとともに、前記充填孔と連通され
、当該充填孔を介して導入される前記接着剤を当該環状溝部に案内する案内溝とを備える
ことを特徴とする光学装置の製造装置。
【発明の詳細な説明】
【技術分野】
【０００１】
本発明は、光学装置の製造装置に関する。
【背景技術】
【０００２】
従来、ＲＧＢ（Red Green Blue）の３つの色光を色光毎に画像情報に応じて変調する３
つの光変調装置（液晶パネル）と、各光変調装置が取り付けられ、変調された３つの色光
を合成して画像光を形成する色合成光学装置（クロスダイクロイックプリズム）とにより
構成される光学装置を備えたプロジェクタが知られている。
このようなプロジェクタでは、鮮明な画像を得るために、製造時においてクロスダイク
ロイックプリズムに対する各液晶パネルの位置調整が高精度に実施されている。そして、
このような調整を実施して光学装置を製造する製造装置が知られている（例えば、特許文
献１参照）。
【０００３】
特許文献１に記載の光学装置の製造装置では、液晶パネルに光を導入する調整用光源装
置と、液晶パネルおよびクロスダイクロイックプリズムを介して射出される光を検出する
光束検出装置と、この光束検出装置で検出された光に基づいてクロスダイクロイックプリ
ズムに対する各液晶パネルの位置調整を実施する位置調整装置と、クロスダイクロイック
プリズムに対して液晶パネルを固定する紫外線照射装置を備えている。
ここで、液晶パネルは、４隅に孔が形成された保持枠に保持されている。そして、位置
調整装置は、透明樹脂製のピンを、紫外線硬化型接着剤とともに保持枠の各孔に挿入し、
クロスダイクロイックプリズムの光入射端面に当接させた状態で位置調整を実施する。
位置調整が実施されると、紫外線照射装置は、紫外線を照射し、ピンに塗布された紫外
線硬化型接着剤を硬化させてクロスダイクロイックプリズムに対して液晶パネルを接着固
定する。
【０００４】
ところで、このようなピンに接着剤を塗布する際には、一般的に、ピンを挿入可能な内
径を有する孔が貫通して形成された治具を用いている。
具体的には、治具に形成された孔の一方から接着剤を導入することにより充填し、治具
の使用者が他方からピンを挿入することにより接着剤を所定の塗布領域に塗布している。
【０００５】
【特許文献１】特開２００３−１０７３９５号公報
【発明の開示】
【発明が解決しようとする課題】
【０００６】
しかしながら、このような治具により接着剤を塗布すると、治具に形成された孔が貫通
しているため、ピンを孔に差し込む量が多すぎることにより接着剤が過剰に塗布される場
合や、逆に、ピンを孔に差し込む量が不足することにより接着剤が十分に塗布されない場
合がある。そして、接着剤が過剰に塗布された場合には、液晶パネルなどに過剰な接着剤
が付着し、不良の原因となることがあり、接着剤が十分に塗布されなかった場合には、ク
ロスダイクロイックプリズムに対して液晶パネルを十分に固定することができないという
問題がある。また、ピンを１本ずつ孔に差し込む必要があるので、手間がかかり、生産効
率が低下するという問題がある。
さらに、現在充填されている接着剤と異なる接着剤を使用する際に、治具の使用者は、
現在充填されている接着剤を拭き取り、異なる接着剤を新たに充填する必要があるが、孔
が小さいため拭き取りにくいという問題がある。
【０００７】
本発明の目的は、ピンに適量の接着剤を容易に塗布することができ、生産効率を向上さ
せることができる光学装置の製造装置を提供することにある。
【課題を解決するための手段】
【０００８】
本発明の光学装置の製造装置は、複数の色光を色光毎に画像情報に応じて変調する複数
の光変調装置と、各光変調装置にて変調された各色光を合成して画像光を形成する色合成
光学装置とを備える光学装置を製造する光学装置の製造装置であって、前記光学装置は、
前記光変調装置に貫通して形成される孔に挿入され、一端側から他端側に向けて所定の長
さを有する塗布領域に塗布された接着剤を介して前記複数の光変調装置および前記色合成
光学装置を一体化する複数のピンを備え、前記製造装置は、前記塗布領域に前記接着剤を
塗布するための接着剤塗布治具を備え、前記接着剤塗布治具は、内部に前記接着剤を充填
可能とし、前記塗布領域における前記所定の長さと等しい深さで形成され、かつ、当該深
さ方向に直交する平面内で環状に形成される環状溝部を有することを特徴とする。
【０００９】
このような構成によれば、接着剤塗布治具は、内部に接着剤を充填可能とし、塗布領域
における所定の長さと等しい深さで形成され、かつ、深さ方向に直交する平面内で環状に
形成される環状溝部を備えるので、環状溝部に接着剤が充填された状態で、この環状溝部
にピンが挿入されることにより塗布領域に接着剤を塗布することができる。したがって、
接着剤塗布治具の使用者がピンを環状溝部に挿入する場合に、ピンを環状溝部の底面まで
押し込むことによりピンを差し込む量を一定にすることができ、ピンに適量の接着剤を容
易に塗布することができる。
【００１０】
また、ピンは環状溝部に挿入されるので、接着剤塗布治具の使用者は、同時に複数のピ
ンを環状溝部に挿入して接着剤を塗布することができる。さらに、接着剤は、環状溝部に
充填されるので、現在充填されている接着剤と異なる接着剤を使用する際に、接着剤塗布
治具の使用者は、現在充填されている接着剤を容易に拭き取り、異なる接着剤を新たに充
填することができる。したがって、生産効率を向上させることができる。
【００１１】
本発明では、前記接着剤塗布治具は、前記環状溝部の外縁部分に形成され、前記深さ方
向とは反対方向に向かうに従って、当該環状溝部の外側方向に傾斜する傾斜部を備えるこ
とが好ましい。
このような構成によれば、環状溝部の外縁部分に傾斜部が形成されているので、接着剤
塗布治具の使用者がピンを挿入することにより、環状溝部から溢れた接着剤は、傾斜部に
より環状溝部に戻される。したがって、溢れた接着剤が無駄になるということがなく、生
産効率を向上させることができる。また、溢れた接着剤が他の工具等に付着して汚れの原
因となるようなこともない。
【００１２】
本発明では、前記環状溝部は、円環状に形成されていることが好ましい。
このような構成によれば、現在充填されている接着剤と異なる接着剤を使用する際に、
接着剤塗布治具の使用者は、現在充填されている接着剤を更に容易に拭き取ることができ
る。すなわち、矩形状などに形成された環状溝部の場合には、角部が存在するため拭き取
りにくい。これに対して、円環状に形成された環状溝部の場合には、角部がなく拭き取り
やすい。
【００１３】
本発明では、前記接着剤塗布治具は、前記環状溝部の略中心位置に前記深さ方向に貫通
して形成され、前記接着剤が当該環状溝部と離間した側から導入される充填孔と、前記環
状溝部の内側部分を分割するように形成されるとともに、前記充填孔と連通され、当該充
填孔を介して導入される前記接着剤を当該環状溝部に案内する案内溝とを備えることが好
ましい。
【００１４】
このような構成によれば、接着剤塗布治具は、充填孔を備えるので、従来と同様の方法
により充填孔の環状溝部と離間した側から接着剤を導入することができる。
また、案内溝は、環状溝部を分割するように形成されているので、充填孔を介して導入
される接着剤は、まず、案内溝により環状溝部の少なくとも２箇所に案内される。そして
、これらの案内された部分から環状溝部に接着剤が充填されるので、環状溝部に接着剤を
円滑に充填させることができる。
【発明を実施するための最良の形態】
【００１５】
以下、本発明の一実施形態を図面に基づいて説明する。
〔１．プロジェクタの構成〕
図１は、本実施形態における製造対象とされる光学装置を備えるプロジェクタ１００の
構造を模式的に示す図である。
プロジェクタ１００は、光源から射出された光を画像情報に応じて変調してカラー画像
を形成し、形成したカラー画像を図示しないスクリーン上に拡大投射する。このプロジェ
クタ１００は、図１に示すように、外装筺体１００Ａと、光学ユニット１００Ｂとを備え
る。
なお、図１において、図示は省略するが、外装筺体１００Ａ内において、光学ユニット
１００Ｂ以外の空間には、プロジェクタ１００に外部からの電力を供給する電源ユニット
、プロジェクタ１００内部を冷却する冷却ユニット、プロジェクタ１００全体を制御する
制御基板等が配置されるものとする。
【００１６】
外装筺体１００Ａは、射出成型等による合成樹脂製品であり、光学ユニット１００Ｂを
内部に収納配置する全体略直方体状に形成されている。なお、外装筺体１００Ａは、合成
樹脂製に限らず、その他の材料にて形成してもよく、例えば、金属等により構成してもよ
い。
光学ユニット１００Ｂは、前述した制御基板による制御の下、光源から射出された光を
画像情報に応じて変調してカラー画像を形成し、形成したカラー画像をスクリーン上に拡
大投射する。この光学ユニット１００Ｂは、図１に示すように、インテグレータ照明光学
系１１０と、色分離光学装置１２０と、リレー光学系１３０と、光学装置１４０と、投射
レンズ１６０と、光学部品１１０〜１４０を内部に収納する光学部品用筐体１７０とを備
える。
【００１７】
インテグレータ照明光学系１１０は、光源から射出された光束を照明光軸直交面内にお
ける照度を均一にするための光学系である。このインテグレータ照明光学系１１０は、図
１に示すように、光源ランプ１１１Ａおよびリフレクタ１１１Ｂを含む光源装置１１１と
、第１レンズアレイ１１２と、第２レンズアレイ１１３と、偏光変換素子１１４と、重畳
レンズ１１５とを備える。光源ランプ１１１Ａから射出された光は、リフレクタ１１１Ｂ
によって射出方向が揃えられ、第１レンズアレイ１１２によって複数の部分光に分割され
、第２レンズアレイ１１３の近傍で結像する。第２レンズアレイ１１３から射出された各
部分光は、その中心軸（主光線）が後段の偏光変換素子１１４の入射面に垂直となるよう
に入射し、偏光変換素子１１４にて略１種類の直線偏光光として射出される。偏光変換素
子１１４から直線偏光光として射出され、重畳レンズ１１５を介した複数の部分光は、光
学装置１４０の後述する３枚の液晶パネル１４１Ａ上で重畳する。
【００１８】
色分離光学装置１２０は、２枚のダイクロイックミラー１２１，１２２と、反射ミラー
１２３とを備え、これらのダイクロイックミラー１２１，１２２、反射ミラー１２３によ
りインテグレータ照明光学系１１０から射出された複数の部分光束を赤、緑、青の三色の
色光に分離する機能を有する。
リレー光学系１３０は、入射側レンズ１３１、リレーレンズ１３２、および反射ミラー
１３３，１３４を備え、色分離光学装置１２０で分離された色光を後述する液晶パネル１
４１Ａまで導く機能を有する。
【００１９】
光学装置１４０は、色分離光学装置１２０から射出される３つの色光を画像情報に応じ
てそれぞれ変調し、変調した各色光を合成してカラー画像を形成する。この光学装置１４
０は、図１に示すように、液晶パネル１４１Ａ（図２参照）を有する３つの光変調装置１
４１と、これら光変調装置１４１の光束入射側および光束射出側にそれぞれ配置される入
射側偏光板１４２および射出側偏光板１４３と、色合成光学装置としてのクロスダイクロ
イックプリズム１４４とを備える。そして、これらのうち、３つの光変調装置１４１、３
つの射出側偏光板１４３、およびクロスダイクロイックプリズム１４４が一体化されて、
光学装置本体１４０Ａ（図２参照）を構成する。なお、この光学装置本体１４０Ａの詳細
な構成については後述する。
【００２０】
入射側偏光板１４２は、偏光変換素子１１４で偏光方向が略一方向に揃えられた各色光
が入射され、入射された光のうち、偏光変換素子１１４で揃えられた光の偏光軸と略同一
方向の偏光光のみ透過させ、その他の光を吸収するものである。この入射側偏光板１４２
は、例えば、サファイアガラスまたは水晶等の透光性基板上に偏光膜が貼付された構成を
有している。
光変調装置１４１を構成する液晶パネル１４１Ａは、具体的な図示は省略するが、一対
の透明なガラス基板に電気光学物質である液晶が密閉封入された構成を有し、前述した制
御基板から出力される駆動信号に応じて液晶の配向状態が制御され、入射側偏光板１４２
から射出された偏光光の偏光方向を変調する。
射出側偏光板１４３は、入射側偏光板１４２と略同様の構成であり、光変調装置１４１
から射出された光のうち、入射側偏光板１４２における光の透過軸と直交する偏光軸を有
する光のみ透過させ、その他の光を吸収するものである。
【００２１】
クロスダイクロイックプリズム１４４は、射出側偏光板１４３から射出された色光毎に
変調された光学像を合成してカラー画像を形成する光学素子である。このクロスダイクロ
イックプリズム１４４は、４つの直角プリズムを貼り合わせた平面視正方形状をなし、直
角プリズム同士を貼り合わせた界面には、２つの誘電体多層膜が形成されている。これら
誘電体多層膜は、投射レンズ１６０に対向する側に配置された光変調装置１４１から射出
され射出側偏光板１４３を介した色光を透過し、残りの２つの各光変調装置１４１から射
出され射出側偏光板１４３を介した色光を反射する。このようにして、各光変調装置１４
１にて変調された各色光が合成されてカラー画像が形成される。
投射レンズ１６０は、筒状の鏡筒内に複数のレンズが収納された組レンズとして構成さ
れ、光学装置１４０により画像情報に応じて変調されたカラー画像を拡大投射する。
【００２２】
〔２．光学装置本体の構成〕
図２は、光学装置本体１４０Ａの構造を示す分解斜視図である。なお、図２では、クロ
スダイクロイックプリズム１４４における３つの光入射側端面のうち、１つの光入射側端
面に配設される光変調装置１４１および射出側偏光板１４３を分解しているが、他の２つ
の光入射側端面に配設される光変調装置１４１および射出側偏光板１４３も同様の構造を
有しているものである。
光学装置本体１４０Ａは、上述した３つの光変調装置１４１、３つの射出側偏光板１４
３、およびクロスダイクロイックプリズム１４４の他、３つの光変調装置支持部１４５を
備え、これら各部材１４１，１４３〜１４５が一体化されたものである。
【００２３】
３つの光変調装置１４１は、図２に示すように、各液晶パネル１４１Ａが保持枠１４１
Ｂ内に収納された構成を有する。そして、保持枠１４１Ｂの四隅位置には、図２に示すよ
うに、光変調装置支持部１４５に光変調装置１４１を取り付けるための固定用孔１４１Ｃ
がそれぞれ形成されている。
３つの光変調装置支持部１４５は、図２に示すように、板金の打ち抜き加工等により矩
形枠状に形成され、射出側偏光板１４３を取り付けるための偏光板取付部１４５Ａが光変
調装置１４１側に突出して２箇所に形成されている。偏光板取付部１４５Ａは、クロスダ
イクロイックプリズム１４４の光入射端面とほぼ平行であり、射出側偏光板１４３が各偏
光板取付部１４５Ａに跨って接着剤等で固定される。
また、光変調装置支持部１４５は、射出側偏光板１４３が取り付けられる側と反対側の
面がクロスダイクロイックプリズム１４４の光入射端面の周縁に接着剤等で固定される。
【００２４】
そして、各光変調装置１４１は、透明樹脂製で円筒形状の４本のピン１４６を介して各
光変調装置支持部１４５に固定される。なお、図２において、光変調装置支持部１４５の
図２中右下部分に固定されるピンについては、図示を省略している。
４本のピン１４６は、光変調装置１４１の固定用孔１４１Ｃに挿入される部分であり、
ピン１４６の一端側から他端側に向けて所定の長さを有する挿入部１４６Ａと、各ピン１
４６の一端側に形成され、光変調装置支持部１４５に当接される当接面１４６Ｂと、各ピ
ン１４６の他端側に形成され、各ピン１４６を取り付けた際に光変調装置１４１から露出
する露出部１４６Ｃとを備える。
なお、図２においては、挿入部１４６Ａと、露出部１４６Ｃとの境界線を鎖線で示して
いる。
【００２５】
４本のピン１４６の挿入部１４６Ａおよび当接面１４６Ｂには、紫外線硬化型接着剤が
塗布され、４本のピン１４６は、この紫外線硬化型接着剤を介して光変調装置１４１およ
び光変調装置支持部１４５を接着固定する。
したがって、ピン１４６は、紫外線硬化型接着剤を介して３つの光変調装置１４１およ
びクロスダイクロイックプリズム１４４を一体化する。
なお、本実施形態では、塗布領域は、挿入部１４６Ａおよび当接面１４６Ｂである。
【００２６】
このような光学装置本体１４０Ａは、各光変調装置支持部１４５を介して各液晶パネル
１４１Ａをクロスダイクロイックプリズム１４４に固定する際に、クロスダイクロイック
プリズム１４４に対する各液晶パネル１４１Ａの位置調整を実施し、位置調整を実施した
後に固定する必要がある。このため、各液晶パネル１４１Ａの位置調整および固定を実施
可能とする製造装置が必要となる。
以下では、このような製造装置を用いて光学装置本体１４０Ａを組み立てる方法につい
て説明する。
【００２７】
まず、各ピン１４６の塗布領域、すなわち、挿入部１４６Ａおよび当接面１４６Ｂに紫
外線硬化型接着剤を塗布する。
ここで、各ピン１４６の当接部に紫外線硬化型接着剤を塗布する際に、各ピン１４６に
適量の接着剤を容易に塗布することができ、生産効率を向上させるために、製造装置２０
０は、図３および図４に示す接着剤塗布治具２１０を備えている。
【００２８】
図３は、接着剤塗布治具２１０の外観を示す斜視図である。図４は、接着剤塗布治具２
１０の上面図および断面図である。
接着剤塗布治具２１０は、ピン１４６の塗布領域に紫外線硬化型接着剤を塗布するため
の合成樹脂製の治具であり、図３に示すように、略円筒形状に形成されている。また、接
着剤塗布治具２１０は、図３および図４に示すように、環状溝部２１１と、案内溝２１２
と、充填孔２１３と、傾斜部２１４とを備える。
【００２９】
環状溝部２１１は、各ピン１４６の塗布領域における所定の長さ、すなわち、挿入部１
４６Ａにおける所定の長さと等しい深さＤで形成され、かつ、円環状に形成されている。
案内溝２１２は、環状溝部２１１の内側部分を分割するように深さＤで形成されている
。
充填孔２１３は、環状溝部２１１の略中心位置に深さ方向に貫通して形成され、案内溝
２１２と連通している。そして、充填孔２１３には、環状溝部２１１と離間した側、すな
わち、開口２１３Ａから紫外線硬化型接着剤Ｅが接着剤供給装置（図示略）から導入され
る。
傾斜部２１４は、環状溝部２１１の外縁部分に形成され、環状溝部２１１の深さ方向と
は反対方向に向かうに従って、環状溝部２１１の外側方向に傾斜している。すなわち、傾
斜部２１４は、環状溝部２１１の外側方向に向かうに従って、接着剤塗布治具２１０の厚
さ寸法が大きくなるように傾斜している。
【００３０】
次に、接着剤塗布治具２１０を用いて各ピン１４６の塗布領域に紫外線硬化型接着剤を
塗布する方法について説明する。
まず、接着剤塗布治具２１０を環状溝部２１１が形成された面を上側にして配置し、充
填孔２１３に接着剤供給装置を接続する。そして、接着剤供給装置を動作させることによ
り、充填孔２１３の開口２１３Ａから紫外線硬化型接着剤Ｅを接着剤塗布治具２１０に導
入する。充填孔２１３を介して紫外線硬化型接着剤Ｅが導入されると、紫外線硬化型接着
剤Ｅは、案内溝２１２により環状溝部２１１に案内され、環状溝部２１１に所定量の紫外
線硬化型接着剤Ｅが充填される。具体的には、充填孔２１３を介して導入される紫外線硬
化型接着剤Ｅは、案内溝２１２に沿って図４中矢印Ｆおよび矢印Ｇ方向に案内される。
【００３１】
そして、接着剤塗布治具２１０の使用者は、環状溝部２１１に紫外線硬化型接着剤Ｅが
充填された状態で、各ピン１４６の露出部１４６Ｃを把持し、環状溝部２１１に各ピン１
４６を挿入して環状溝部２１１の底面まで押し込む。これにより、各ピン１４６の塗布領
域に紫外線硬化型接着剤Ｅが塗布される。
【００３２】
なお、この際、図３に示すように、複数のピン１４６を同時に環状溝部２１１に挿入す
ることが可能である。具体的には、図示は省略するが、本実施形態では、３つの光変調装
置１４１および３つの光変調装置支持部１４５を固定する１２本のピンを同時に環状溝部
２１１に挿入することが可能である。
また、環状溝部２１１に各ピン１４６が挿入されることにより環状溝部２１１から溢れ
た紫外線硬化型接着剤Ｅは、傾斜部２１４により環状溝部２１１に戻される。
【００３３】
以上のように、各ピン１４６の塗布領域に紫外線硬化型接着剤Ｅが塗布された状態にお
いて、まず、クロスダイクロイックプリズム１４４に接着剤等で光変調装置支持部１４５
を取り付ける。次に、光変調装置支持部１４５の偏光板取付部１４５Ａに接着剤等で射出
側偏光板１４３を取り付ける。そして、各ピン１４６を、保持枠１４１Ｂの固定用孔１４
１Ｃに挿入し、当接面１４６Ｂを光変調装置支持部１４５の四隅位置に当接する。
【００３４】
この状態において、製造装置２００は、クロスダイクロイックプリズム１４４に対する
液晶パネル１４１Ａの位置調整を実施する。なお、位置調整は、図示は省略するが、特許
文献１に記載の調整用光源装置、光束検出装置、位置調整装置により実施される。
位置調整が実施されると、各ピン１４６の露出部１４６Ｃ側から紫外線が照射され、紫
外線硬化型接着剤が硬化する。なお、紫外線の照射は、図示は省略するが、特許文献１に
記載の紫外線照射装置により実施される。これにより、各液晶パネル１４１Ａがクロスダ
イクロイックプリズム１４４の光入射端面側に取り付けられる。
【００３５】
本実施形態に係る光学装置本体１４０Ａの製造装置２００によれば、次のような効果が
ある。
（１）接着剤塗布治具２１０は、内部に紫外線硬化型接着剤Ｅを充填可能とし、各ピン
１４６の塗布領域における所定の長さと等しい深さＤで形成され、かつ、円環状に形成さ
れる環状溝部２１１を備えるので、各ピン１４６を差し込む量を一定にすることができ、
各ピン１４６に適量の紫外線硬化型接着剤Ｅを容易に塗布することができる。
（２）各ピン１４６は、環状溝部２１１に同時に複数挿入することができるので、生産
効率を向上させることができる。
【００３６】
（３）環状溝部２１１は、円環状に形成されているので、現在充填されている接着剤と
異なる接着剤を使用する際に、接着剤塗布治具２１０の使用者は、現在充填されている接
着剤を容易に拭き取り、異なる接着剤を新たに充填することができる。
（４）環状溝部２１１の外縁部分に傾斜部２１４が形成されているので、接着剤塗布治
具２１０の使用者が各ピン１４６を挿入することにより、環状溝部２１１から溢れた紫外
線硬化型接着剤Ｅは、傾斜部２１４により環状溝部２１１に戻される。したがって、溢れ
た紫外線硬化型接着剤Ｅが無駄になるということがなく、生産効率を向上させることがで
きる。また、溢れた紫外線硬化型接着剤Ｅが他の工具等に付着して汚れの原因となるよう
なこともない。
【００３７】
（５）接着剤塗布治具２１０は、充填孔２１３を備えるので、接着剤供給装置により充
填孔２１３の環状溝部２１１と離間した側から紫外線硬化型接着剤Ｅを導入することがで
きる。
（６）案内溝２１２は、環状溝部２１１を分割するように形成されているので、充填孔
２１３を介して導入される紫外線硬化型接着剤Ｅは、図４中矢印Ｆおよび矢印Ｇ方向に案
内され、これらの案内された部分から環状溝部２１１に紫外線硬化型接着剤Ｅが充填され
るので、環状溝部２１１に紫外線硬化型接着剤Ｅを円滑に充填させることができる。
【００３８】
〔実施形態の変形〕
なお、本発明は前記実施形態に限定されるものではなく、本発明の目的を達成できる範
囲での変形、改良等は本発明に含まれるものである。
前記実施形態では、製造装置２００は、特許文献１に記載の製造装置と同様の調整用光
源装置、光束検出装置、位置調整装置、および紫外線照射装置を備えていたが、これ以外
の装置にて製造装置を構成してもよく、要するに、接着剤塗布治具を備えていればよい。
前記実施形態では、接着剤塗布治具２１０は、円筒状に形成されていたが、例えば、平
板状などに形成されていてもよく、要するに、環状溝部２１１を形成することができれば
よい。
【００３９】
前記実施形態では、環状溝部２１１は、円環状に形成されていたが、例えば、矩形状な
どに形成してもよく、要するに、環状に形成されていればよい。
前記実施形態では、環状溝部２１１の外縁部分に傾斜部２１４が形成されていたが、例
えば、外縁部分と内縁部分との両方に形成されていてもよい。さらには、傾斜部２１４は
形成されていなくてもよい。
【００４０】
前記実施形態では、充填孔２１３は、環状溝部２１１の略中心位置に形成されていたが
、環状溝部と連通していれば略中心位置でなくてもよい。また、環状溝部に上方から接着
剤を充填する場合には、充填孔２１３は形成されていなくてもよい。
前記実施形態では、環状溝部２１１の内側部分を分割するように形成され、充填孔２１
３と連通される案内溝２１２が形成されていたが、充填孔２１３を環状溝部２１１に直接
連通させるように形成した場合には、案内溝２１２は形成されていなくてもよい。
【産業上の利用可能性】
【００４１】
本発明は、光学装置の製造装置に好適に利用することができる。
【図面の簡単な説明】
【００４２】
【図１】本発明の一実施形態に係るプロジェクタの構造を模式的に示す図。
【図２】前記実施形態における光学装置本体の構造を示す分解斜視図。
【図３】前記実施形態における接着剤塗布治具の外観を示す斜視図。
【図４】前記実施形態における接着剤塗布治具の上面図および断面図。
【符号の説明】
【００４３】
１４０…光学装置、１４０Ａ…光学装置本体、１４１…光変調装置、１４６…ピン、１
４６Ａ…挿入部（塗布領域）、１４６Ｂ…当接面（塗布領域）、２００…製造装置、２１
０…接着剤塗布治具、２１１…環状溝部、２１２…案内溝、２１３…充填孔、２１４…傾
斜部。
【図１】
2008242122.tif 000003
【図２】
2008242122.tif 000004
【図３】
2008242122.tif 000005
【図４】
2008242122.tif 000006